(57)【要約】      （修正有）【課題】ペットの関心を引き、かつ安全なペット用玩具を提供する。【解決手段】ペットが噛み切ることが困難な材質又はペットの体内で消化する材質で構成されたペット用玩具１である。ペット用玩具１は、底２のある円筒状の構造を有し、円筒３の外側の側面には、円筒３の高さ方向に直線的に存在する凸部４ｂと凹部４ａからなる凹凸部４を有する。凹凸部４が０．５ｍｍ〜５ｍｍのピッチをもって配置されている。【選択図】図１
0003186378.tif 000002
【実用新案登録請求の範囲】
【請求項１】
ペットが噛み切ることが困難な材質又はペットの体内で消化する材質で構成されたペット用玩具であって、
該ペット用玩具は、底のある円筒状の構造を有し、
該円筒の外側の側面には、凸部と凹部からなる凹凸部を有する、
ことを特徴とするペット用玩具。
【請求項２】
上記凹凸部が円筒の高さ方向に直線的に存在する請求項１に記載のペット用玩具。
【請求項３】
上記凹凸部が、０．５ｍｍ〜５ｍｍのピッチをもって配置されている請求項１又は請求項２に記載のペット用玩具。
【請求項４】
上記底のある円筒状の構造において、底面の直径が１ｃｍ〜６ｃｍである請求項１ないし請求項３の何れかの請求項に記載のペット用玩具。
【請求項５】
上記底のある円筒状の構造において、円筒の高さが０．５ｃｍ〜６ｃｍである請求項１ないし請求項４の何れかの請求項に記載のペット用玩具。
【請求項６】
上記底のある円筒状の構造において、該円筒の内側の側面にも、凸部と凹部からなる凹凸部を有する請求項１ないし請求項５の何れかの請求項に記載のペット用玩具。
【請求項７】
上記ペットが噛み切ることが困難な材質が、獣皮又は獣腱である請求項１ないし請求項６の何れかの請求項に記載のペット用玩具。
【請求項８】
上記ペットが噛み切ることが困難な材質が、犬用ガムの材質である請求項１ないし請求項７の何れかの請求項に記載のペット用玩具。
【請求項９】
上記ペットの体内で消化する材質が、炭水化物又はタンパク質を主成分とする材質である請求項１ないし請求項８の何れかの請求項に記載のペット用玩具。
【請求項１０】
上記ペットが犬である請求項１ないし請求項９の何れかの請求項に記載のペット用玩具。
【考案の詳細な説明】
【技術分野】
【０００１】
本考案は、特定の材質で構成され、底のある円筒状の構造を有するペット用玩具に関するものである。
【背景技術】
【０００２】
ペット用玩具は種々のものが知られているが、その殆どが、ペットが最初から興味を示さない形状をしていたり、最初は興味を示して遊ぶものの、直ぐに飽きてしまい、興味を示さなくなったりするものであった。
例えば、犬は玩具を放り投げたり前足で突いたり、玩具を舐めたりかじったり食いちぎったりして遊ぶ。
しかしながら、上記のようにして遊ぶために好適な形状のペット用玩具は殆どなかった。また、舐めたり、かじったり、食いちぎったりするに好適な感触のペット用玩具は殆どなかった。
【０００３】
ペット用玩具として、ボール、ぬいぐるみ、骨の形をした犬用ガムや、歯垢除去効果を有する犬用ガム等、様々のものが知られている。
例えば、特許文献１では、獣骨をイメージできる均一で白い「犬用ガム」が提案されている。また、特許文献２では、小型犬向けの、歯磨き効果を有する犬用ガムが提案されている。
【０００４】
しかしながら、このような犬用ガムを含めたペット用玩具は、形状がペットにとっては興味をそそるものではなく、ペットはそれで遊ぶことが少なかった。また、最初は遊んでも、直ぐに飽きてしまい遊ばなくなってしまった。
【０００５】
一方、ペットが興味を示す形状や材料感触を有するものは、人間の日用品や人間の使用品の中に存在する。しかしながら、それらの品は、ペットが飲み込める大きさだったり、必ずしもペットが噛み切ることが困難な材質でできているとは限らなかったりするため、ペットがこのようなものを誤って飲み込んでしまったり、食いちぎって小さくして飲み込んでしまったりした場合、ペットの消化器に詰まり問題となっていた。
【０００６】
特許文献３には、消化し易いペット向け食用ガムが提案されている。該食用ガムは、原料として、タンパク質、炭水化物、脂質、湿潤剤及び水から構成されている。
しかしながら、その形状は、ペットにとっては興味をそそるものではなく、ペットはそれで遊ぶことが少なかった。
【０００７】
このように、ペットが興味を示し、遊んで楽しく、かつ安全なペット用玩具は、極めて少なく、改善の余地があった。
【先行技術文献】
【特許文献】
【０００８】
【特許文献１】特開２００５−０６５５９９号公報
【特許文献２】実用新案登録第３１８２６５６号
【特許文献２】特開２００６−２２３３０８号公報
【考案の概要】
【考案が解決しようとする課題】
【０００９】
本考案は、上記背景技術に鑑みてなされたものであり、その課題は、ペットの関心を引き、かつ安全なペット用玩具を提供することにある。
【課題を解決するための手段】
【００１０】
本考案者は、上記の課題を解決すべく鋭意検討を重ねた結果、飲料用ペットボトルのキャップのような、底のある円筒状の構造を有し、外周面の側面に凹凸部を有する構造の場合、犬、猫等のペットが非常に興味を持って遊ぶことを見出した。
上記キャップは、部屋等に頻繁に転がっているので、犬、猫等のペットが遊んでいるところを目撃し易いだけかというとそうではなく、本考案者は、その構造が極めて特異的にペットが好む構造であることを見出した。
そして、更に、材質も特定のものとすることにより本考案をするに至った。
【００１１】
すなわち、本考案は、ペットが噛み切ることが困難な材質又はペットの体内で消化する材質で構成されたペット用玩具であって、
該ペット用玩具は、底のある円筒状の構造を有し、
該円筒の外側の側面には、該円筒の高さ方向に直線的に存在する凸部と凹部からなる凹凸部を有する、
ことを特徴とするペット用玩具を提供するものである。
【考案の効果】
【００１２】
本考案によれば、ペットにとっての理由はともあれ、ペットが喜んで遊ぶペット用玩具を提供することができる。ここで、「ペットが喜んで遊ぶ」とは、じゃれたり、転がしたり、滑らしたり、放り投げたり、前足で突いたり、隠したり、噛んだり、舐めたり、噛み切ったり、食いちぎったり、等をして遊ぶことを含む。
【００１３】
具体的には、以下の理由で、ペットが喜んで遊ぶと考えられる。
（１）円筒状の構造により、転がして遊ぶことができる。
（２）底のある構造により、滑らして遊ぶことができる。
（３）円筒状の構造の向かい合う側面同士が距離を縮めるように曲がり、側面が弾力性を有するので、足による踏みごたえや、口による噛みごたえがある。
（４）外周面が凹凸面となっていることにより、足や爪に適度に引っ掛かったり、舌や歯に対する感触がよかったりする。
（５）円筒状の構造により、該円筒の側面を噛み切ったり、食いちぎったりする喜びがある。
更に、好適な大きさや形態、好適な凹凸部のピッチ等にすれば、上記効果が更に増大する。
【００１４】
また、ペットが噛み切ることが困難な材質で構成することによって、ペットが消化器に詰まらせることがない。また、歯石除去の効果もある。
また、ペットの体内で消化する材質で構成することによって、ペットが飲み込んでも安全である。また、たとえ食いちぎられた場合であっても、体内で消化可能な食用成分を主原料としてあれば、破片を飲み込んでもペットの体内で消化することができる。
【図面の簡単な説明】
【００１５】
【図１】本考案のペット用玩具の一例の斜視図である。
【図２】本考案のペット用玩具の一例の斜視図である。
【図３】本考案のペット用玩具の一例の斜視図である。
【考案を実施するための形態】
【００１６】
以下、本考案について説明するが、本考案は、以下の具体的態様に限定されるものではなく、技術的思想の範囲内で任意に変形することができる。
【００１７】
本考案のペット用玩具は、例えば、図１〜３に示した通り、底のある円筒状の構造を有し、該円筒の外側の側面には、凸部と凹部からなる凹凸部を有することを特徴とする。すなわち、該構造の外周面は凹凸部を有する。
該凹凸部は、特に限定されないが、該円筒の高さ方向に直線的に存在する（底面に対して略垂直方向に形成されている）こと、又は、底面に対しても水平方向に形成されていてが好ましく、両方とも形成されていてもよい。
【００１８】
該凹凸部は、０．５ｍｍ〜５ｍｍのピッチをもって配置されることが好ましく、０．７ｍｍ〜４ｍｍのピッチをもって配置されることがより好ましく、１．５ｍｍ〜３ｍｍのピッチをもって配置されていることが特に好ましい。
この範囲であれば、前記したようなペットにとっての喜びが増大するため、ペットは好んで遊ぶ。ペットの中でも特に犬が好んで遊ぶ。
【００１９】
該凹凸部が、上記ピッチをもって配置され、円筒の高さ方向に直線的に存在するペット用玩具は、特にペット（犬）が好んで遊ぶ。
【００２０】
上記底のある円筒状の構造において、該円筒の内側の側面にも、凸部と凹部からなる凹凸部を有することも好ましい。
すなわち、上記有底円筒状の構造の内周面に凸部と凹部を交互に形成した凹凸部を有していることも好ましい。該凹凸部は、特に限定されないが、底面に対して略垂直方向に形成されていることが好ましい。また、底面に対して水平方向に形成されていてもよく、両方とも形成されていてもよい。
【００２１】
外周面の凹凸部のピッチは、内周面の凹凸部のピッチと同一であっても異なっていてもよいが、好ましい範囲は、前記した外周面の凹凸部のピッチと同一である。
該円筒の内側の側面にも、凸部と凹部からなる凹凸部を有する（内周面に凹凸部を有する）本考案のペット用玩具の一例を図２に示す。
【００２２】
上記底のある円筒状の構造において、底面の直径が１ｃｍ〜６ｃｍであることが好ましく、２ｃｍ〜５ｃｍがより好ましく、２．５〜４ｃｍが特に好ましい。
【００２３】
上記底のある円筒状の構造において、円筒の高さ（側面の高さ）は、特に限定されないが、０．５ｃｍ〜６ｃｍであることが好ましく、０．７ｃｍ〜４ｃｍであることがより好ましく、１ｃｍ〜２．５ｃｍであることが特に好ましい。
【００２４】
円筒の高さ（側面の高さ）の底面の直径に対する割合は、０．１５〜２が好ましく、０．２５〜１．５がより好ましく、０．３〜１が特に好ましい。
側面の高さの底面の直径に対する割合が特に好ましい態様である、本考案のペット用玩具の例を図１〜図３に示す。
この範囲であれば、前記したようなペットにとっての喜びが増大するため、ペットは好んで遊び、ペットの中でも特に犬が好んで遊ぶ。
【００２５】
円筒の厚さは特に限定はないが、０．１ｍｍ〜４ｍｍが好ましく、０．２ｍｍ〜２ｍｍがより好ましく、０．３ｍｍ〜１ｍｍが特に好ましい。
この範囲であれば、円筒状の構造の向かい合う側面同士が距離を縮めるように曲がり、側面が弾力性を有するようになるので、前記したようなペットにとっての喜びが増大して、ペットが好んで遊び、ペットの中でも特に犬が好んで遊ぶ。
【００２６】
本考案のペット用玩具は、着色されていても無色でもよく、無地でも、模様、絵等が付されていてもよい。
【００２７】
ペットの例として、犬、猫、ウサギ、モルモット、リス、フェレット、ハムスター、カメ、インコ等が挙げられる。本考案のペット用玩具は、犬、猫等に用いることが好ましく、犬に用いることが特に好ましい。
【００２８】
本考案のペット用玩具は、ペットの安全のために、ペットが噛み切ることが困難な材質又はペットの体内で消化する材質で構成されていることが必須である。
【００２９】
上記ペットが噛み切ることが困難な材質が、犬用ガムの材質であることが好ましい。本考案で「犬用ガムの材質」とは、一般に公知の犬が噛んで遊ぶ犬用の玩具の材質をいう。
また、上記ペットが噛み切ることが困難な材質が、獣皮又は獣腱であることが好ましい。
具体的には、特に、牛、豚、馬等の獣皮、又は、それらの獣腱であることが、ペットが噛み切り難いために好ましい。
【００３０】
飲料用ペットボトルのキャップは、ペットが好んで遊ぶが、合成樹脂でできているためにちぎれ易く、ペットにとって危険であり、実際にしばしば、犬等のペットが飲み込む事故が発生している。
また、塩化ビニル、（メタ）アクリル樹脂、ポリエチレン、ポリプロピレン等の合成樹脂も、噛んだときにちぎれ易くペットにとって危険である。
また、ペットが噛み切ることが困難な材質で構成させれば、ペットの歯石除去の効果もある。
【００３１】
本考案のペット用玩具は、ペットの安全のために、ペットが噛み切ることが困難な材質又はペットの体内で消化する材質で構成されているが、かかる「ペットの体内で消化する材質」は、炭水化物又はタンパク質を主成分とする材質であることが好ましい。
【００３２】
該炭水化物は、以下に限定はされないが、具体的には、例えば、タピオカ澱粉、じゃがいも澱粉、小麦澱粉、米澱粉、トウモロコシ澱粉等の澱粉が挙げられる。
炭水化物を主成分とするものは、例えば、米粉、小麦粉、ジャガイモ粉、トウモロコシ粉等の穀粉が好ましい。
該炭水化物は、１種類のみが用いられてもよいし、２種類以上が組み合わされて用いられてもよい。
【００３３】
該タンパク質の種類は特に限定されないが、具体的には、例えば、乳、牛、豚、鶏、馬等の肉由来のタンパク質、卵タンパク質等の動物由来タンパク質；ゼラチン；小麦タンパク質、トウモロコシタンパク質、米タンパク質等の穀物由来タンパク質；大豆タンパク質等の豆類由来タンパク質；等が挙げられる。
該タンパク質は、１種類のみが用いられてもよいし、２種類以上が組み合わされて用いられてもよい。
【００３４】
本考案のペット用玩具には、その他の配合剤が含有されていてもよい。
配合剤として、湿潤剤が含まれていることが好ましい。湿潤剤の例としては、ショ糖、塩化ナトリウム、ソルビトール、グリセリン、ブドウ糖、麦芽糖、乳糖、ガラクトース、クエン酸、アラニン、グリシン、酒石酸、リンゴ酸、キシロース、ポリエチレングリコール、プロピレングリコール、アミノ酪酸、マンニトール、マンノース等が挙げられる。
【００３５】
本考案のペット用玩具には、配合剤として、食物繊維等の難消化性成分が含まれていることも好ましい。食物繊維の例として、セルロース、ペクチン、イヌリン、グアーガム、キチン、キトサン等が挙げられる。
【００３６】
また、本考案のペット用玩具には、配合剤として、香料、保存料、着色剤、軟化剤、酸化防止剤、滑剤、界面活性剤、有機若しくは無機フィラー、臭い成分、旨み成分、無機塩、脂肪分等が含まれていてもよい。
【００３７】
本考案のペット用玩具の材質の組成は、特に限定はないが、ペットの体内で消化する材質として、具体的には、例えば、
タンパク質  １５〜８５質量部
炭水化物  １５〜８５質量部
脂肪  １〜３０質量部
食物繊維  ３質量部以下
灰分  １０質量部以下
水分  ５〜４０質量部
が挙げられる。
【００３８】
本考案のペット用玩具の製造方法は特に限定されず、任意の従来の方法が用いられるが、例えば、原料を混ぜ合わせた混合物を、押出成形又は射出成形し、要すれば乾燥させることにより得ることができる。
【産業上の利用可能性】
【００３９】
本考案のペット用玩具は、犬等のペットがそれでよく遊び、しかも、安全であるため、ペットが関係する産業分野に広く利用されるものである。
【符号の説明】
【００４０】
１    ペット用玩具
２    底
３    円筒
４    凹凸部
４ａ  凹部
４ｂ  凸部
【図１】
0003186378.tif 000003
【図２】
0003186378.tif 000004
【図３】
0003186378.tif 000005